(57)【要約】【課題】その体格を増大させることなく放熱面積を増加させることによって、高い放熱性能を有し、振動による接着層の剥離を低減できることによって、振動耐久性に優れたリアクトルを提供する。【解決手段】このリアクトルコア１は、その側面視においてリアクトルコア１の軸線がケースの底版６と反対側に突となる凸部３を備え、その凸部３は２つの傾斜部３ａ，３ｂから構成され、傾斜部３ａ，３ｂにおいてボビン４周りにコイル５がリアクトルコア１の軸線に対して傾斜して形成される。また、底版６はコイル接着面と相補的形状を呈する底版接着面７ａを備え、底版接着面７ａは傾きの異なる２つの接着面７ａａ，７ａｂから構成され、第１のコイル５ａと第２のコイル５ｂがそれぞれ接着面７ａａ，７ａｂと接着剤８を介して接着されている。【選択図】図１
2012023267.tif 000002
【特許請求の範囲】
【請求項１】
平面視が略環状のリアクトルコアの周りにボビンが形成され、ボビンの周りにコイルが形成され、少なくとも底版からなるケースと少なくともコイルが接着されてなるリアクトルであって、
リアクトルコアは、その側面視においてその軸線がケースと反対側に突となる凸部を備え、凸部の周りにボビンが形成され、ボビンの周りでコイルがリアクトルコアの軸線に対して傾斜して形成されており、
凸部の周りに形成されたコイルにおいて底版と接着するコイル接着面と相補的形状を呈する底版接着面を底版が備え、双方の接着面でコイルと底版が接着されているリアクトル。
【請求項２】
前記リアクトルコアは、傾斜部を備えた２つのＵ型コアのそれぞれの傾斜部の端部が直接的もしくは間接的に接着されることで形成されており、接着された２つの傾斜部で前記凸部が形成されている請求項１に記載のリアクトル。
【請求項３】
前記リアクトルコアが連続する２以上の凸部を備えている請求項１または２に記載のリアクトル。
【請求項４】
前記凸部間に形成される谷部は、その側面視でコイルの中央に設けられている請求項３に記載のリアクトル。
【請求項５】
前記底版は凹溝を備え、この凹溝内に前記底版接着面が形成されており、
コイル接着面と相補的形状を呈する底版接着面の頂部が凹溝の外側へ突出しないように形成されている請求項１〜４のいずれかに記載のリアクトル。
【請求項６】
コイルの底版と反対側の領域は、その平面視でリアクトルコアの軸線に対して傾斜して形成されており、
ケースは底版から立設する側版をさらに備え、
コイルはケースの底版の他にこの側版と接着されている請求項１〜５のいずれかに記載のリアクトル。
【請求項７】
コイルの底版と反対側の領域は、屈曲部を介して２以上の方向に傾斜して形成されている請求項６に記載のリアクトル。
【請求項８】
リアクトルコアの断面形状が、底版側に長辺を有する台形もしくは底版側に頂部を有する三角形のいずれか一種からなる請求項１〜７のいずれかに記載のリアクトル。
【請求項９】
コイルが絶縁性と放熱性を有する接着剤を介してケースに接着されている請求項１〜８のいずれかに記載のリアクトル。
【発明の詳細な説明】
【技術分野】
【０００１】
本発明は、電力変換回路を構成するリアクトルに関するものである。
【背景技術】
【０００２】
電力変換回路のリアクトルは、一般に平面視が略横長環状のリアクトルコアの２つの長手部にコイルが形成され、これがたとえばケース上に載置されて構成されている。このリアクトルコアは複数の電磁鋼板の積層体もしくは圧粉磁心からなる分割コアから構成されており、各分割コア間にはたとえば非磁性素材のギャップ板が介装されており、ギャップ板とコアは接着剤にて接着固定されてリアクトルコアが形成されている。
【０００３】
このケースの下面（底面）にはたとえば放熱板（ヒートシンク）が設けてあり、さらにその下方には冷却水やエアを還流させる冷却器が設けられることもあり、コイルに通電した際に生じるジュール熱は、該コイルまたはリアクトルコアからこの放熱板を介し、たとえば冷却器を介して放熱される形態などが存在している。
【０００４】
ところで、昨今のハイブリッド車や電気自動車等に搭載されるリアクトルにおいては、その小型化が進んでいる一方で、通電される電流値も大きくなってきており、増大する発熱量を如何にして効果的に放熱できるかが当該分野における重要な解決課題の一つとなっている。
【０００５】
ここで、その小型化を目的とする従来のリアクトルに関する公開技術として、特許文献１に開示のリアクトルを挙げることができる。このリアクトルは、側面視において、コイルの上部と下部を繋ぐ部分をコアの軸線に対して斜めに倒し、上部と下部をコアの上面と下面にそれぞれ押し付けて配設することでコイルの厚みを薄くするものである。しかし、このリアクトルにおいては、リアクトルのコイルの上下方向の厚みが抑制される一方で、コアの軸線方向のコイル長さが増加してしまう。また、コイルの下面とケースを接着する接着層は、その引張方向の応力に対する耐久性能が低いことが知られている。そのため、従来構造のように、コイルの下面とケースを対向する二次元的な平面でのみ接着固定すると、リアクトルの上下方向（接着層の引張方向）に車両振動が作用する際に、コイルとケースの接着層が剥離しやすく、クーリング性能が低下してリアクトルの破損に繋がる可能性がある。
【０００６】
また、放熱性能を向上させる目的で発案された従来の公開技術として、特許文献２に開示のリアクトルを挙げることができる。このリアクトルは、リアクトルコアの短手領域の下部を収容するために設けられた樹脂部材が接着剤を介してケース（冷却器）に接着固定されるものである。コアの下方と側方の領域が樹脂部材と接着固定されることで、コイルやコアから放熱される熱が、接着剤と樹脂部材を介してケースへ伝熱されてクーリングされる。また、リアクトルの長手領域のコイルについても、その下方と側方の領域が接着剤を介してケースに接着固定されている。しかし、この構造のリアクトルにおいては、リアクトルの短手領域とこれを収容する樹脂部材が鉛直な接着面で接着されることから、製造過程においてその接着面に上方から接着剤を塗布することが難しい。同様に、リアクトルの長手領域のコイルにおいても、コイルの鉛直な側方面に接着剤を均一に塗布することが難しく、コイルやコアをケースに密実に接着することができない。したがって、コイルやコアとケースの接着層が剥離し、接着強度やクーリング性能の低下の要因となり得る。
【先行技術文献】
【特許文献】
【０００７】
【特許文献１】特開２０００−１８２８６９号公報
【特許文献２】特開２００９−２３１４９５号公報
【発明の概要】
【発明が解決しようとする課題】
【０００８】
本発明は上記する課題に鑑みてなされたものであり、その体格を増大させることなく放熱面積を増加させることによって、高い放熱性能を有し、振動による接着層の剥離を低減できることによって、振動耐久性に優れたリアクトルを提供することを目的とする。
【課題を解決するための手段】
【０００９】
前記目的を達成すべく、本発明のリアクトルは、平面視が略環状のリアクトルコアの周りにボビンが形成され、ボビンの周りにコイルが形成され、少なくとも底版からなるケースと少なくともコイルが接着されてなるリアクトルであって、リアクトルコアは、その側面視においてその軸線がケースと反対側に突となる凸部を備え、凸部の周りにボビンが形成され、ボビンの周りでコイルがリアクトルコアの軸線に対して傾斜して形成されており、凸部の周りに形成されたコイルにおいて底版と接着するコイル接着面と相補的形状を呈する底版接着面を底版が備え、双方の接着面でコイルと底版が接着されているものである。
【００１０】
本発明のリアクトルを構成するリアクトルコアは、その軸線がケースと反対側に突となる凸部を備えており、この凸部の周りにボビンが形成され、ボビンの周りでコイルがリアクトルコアの軸線に対して傾斜して形成される。したがって、ボビンに巻き付けられたコイル同士の接触面（エッジワイズコイルの平面）の一部が露出することで、コイルの下方に配置されるケースの底版とのコイル接着面積を増加させることができ、発熱源であるコイルから放熱される熱の放熱領域を増加させることができる。また、コイルの上部と下部を繋ぐ部分をコアの軸線に対して斜めに倒すことでコイルの厚みを薄くできる。さらに、リアクトルコアが凸部を備え、コアの長手部が傾斜していることで、その凸部の周りのコイルが側面視で略鉛直方向に巻き付けられることとなり、側面視におけるコア長手方向のコイル長さを低減して、リアクトルの体格の大型化を抑制することができる。
【００１１】
また、コイル下方に配置された底版がコイル接着面と相補的形状を呈する底版接着面を備えることで、コイル接着面と底版接着面は、それぞれ傾きの異なる少なくとも２つの接着面から構成されることとなる。そして、コイルと底版が双方の接着面で接着されることで、リアクトルに対して上下方向や左右方向に振動が作用する際に、その振動から生じる応力を傾きの異なる接着面に分散させることができ、接着層の剥離を抑制することができる。すなわち、たとえば一方の接着面に垂直な引張方向の振動が作用しても、他方の接着面においては、その振動時に生じる応力を、接着面に垂直な方向の引張応力と接着面に平行な方向の剪断応力に分散させることができる。したがって、引張方向の振動に対して耐久性能が低い接着層に関し、一方の接着面に引張応力が生じている際に、他方の接着面は接着されているため、コイルと底版の接着を保証することができる。よって、多方向の振動に対して優れた耐久性を有する接着層を形成することができる。
【００１２】
また、前記リアクトルコアは、傾斜部を備えた２つのＵ型コアのそれぞれの傾斜部の端部が直接的もしくは間接的に接着されることで形成されており、接着された２つの傾斜部で前記凸部が形成されているのが好ましい。
【００１３】
上記する形態によれば、予め凸形状を呈するボビンの周りにコアの軸線に対して傾斜するようにコイルを形成しておき、２つのＵ型コアの傾斜部の端部をボビンの両端から挿入し、それらの端部をボビン内で、たとえばギャップ板を介して接着できることから、リアクトルコアの作製を簡素化できる。
【００１４】
なお、リアクトルコアを形成するＵ型コアや、Ｕ型コアの端部と接着されるギャップ層の形態などは特に限定されるものではなく、２つのＵ型コアのみからなるリアクトルコア、２つのＵ型コアと、これらの２箇所のコア端部間にそれぞれ１以上の平面視がＩ型のＩ型コアが介在してなるリアクトルコア、などを挙げることができる。また、ギャップ層も、非磁性素材の接着剤のみから形成される形態、非磁性素材のギャップ板と接着剤とから形成される形態、非磁性素材の樹脂シートを両側のコアに熱圧着してなる形態などを挙げることができ、Ｕ型コアを直接的もしくは間接的に接着させることができる。
【００１５】
また、本発明のリアクトルにおいては、前記リアクトルコアが連続する２以上の凸部を備えており、さらに、前記凸部間に形成される谷部は、その側面視でコイルの中央に設けられているのが好ましい。
【００１６】
リアクトルコアが連続する２以上の凸部を備えることで、単数の凸部を備えるコア周りに形成されるコイルと比較してコイルの高さを抑制でき、コイルやコアから放熱される熱を効果的に底版へ伝熱させることができる。また、この凸部間に形成される谷部がコイルの中央に設けられることで、コイルやコアから放熱される熱が最も篭もりやすく、最も高温となり得るコイルの中央部が、その周囲のコイルに対して相対的にケースに近接して配置されることとなる。したがって、その中央部に篭もり得る熱を底版へ効果的に伝熱させることができ、リアクトルのクーリング性能を一層高めることができる。
【００１７】
さらに、連続する２以上の凸部の周りに形成されたコイルのコイル接着面と相補的形状を呈する波状の底版接着面を底版が備え、コイルと底版がその多数の接着面からなる波状の接着面で接着されることで、リアクトルの振動時に生じる応力を多数の接着面に分散させることができ、接着層の振動耐久性能を一層向上させることもできる。
【００１８】
また、前記底版は凹溝を備え、この凹溝内に前記底版接着面が形成されており、コイル接着面と相補的形状を呈する底版接着面の頂部が凹溝の外側へ突出しないように形成されていれば、コイルの高さを抑制し、底版の凹溝の深さを増加させることなくその凹溝内に底版接着面を形成することができ、リアクトルの体格の最適化を図ることができる。
【００１９】
また、本発明によるリアクトルコアの他の実施の形態において、コイルの底版と反対側の領域は、その平面視でリアクトルコアの軸線に対して傾斜して形成されており、ケースは底版から立設する側版をさらに備え、コイルはケースの底版の他にこの側版と接着されているものである。
【００２０】
上記する形態によれば、コイルの側方の領域においても、ボビンに巻き付けられたコイル同士の接触面（エッジワイズコイルの平面）の一部を露出させることができる。したがって、コイルの側方に設けられた側版とコイルが接着剤にて接着される際に、コイル接着面積を増加させることができ、コイルから放熱される熱の放熱領域を増加させて、リアクトルのクーリング性能を向上させることができる。さらに、ケースの底版の他にコイルの側方の領域がこの側版と接着されることで、コイルとケースの接着強度を高めることもできる。
【００２１】
ここで、コイルの底版と反対側の領域は、屈曲部を介して２以上の方向に傾斜して形成されていれば、平面視でリアクトルの長手方向に傾斜したコイルの巻き方向を屈曲部で変更でき、コイルの長手方向長さを抑制して、リアクトルの体格の小型化を図ることができる。
【００２２】
また、本発明のリアクトルは、リアクトルコアの断面形状が、底版側に長辺を有する台形もしくは底版側に頂部を有する三角形のいずれか一種からなるのが好ましい。
【００２３】
リアクトルコアの断面形状が台形であって、その長辺が底版側に備えられていれば、同等の断面積を有する正方形断面のリアクトルコアを有するリアクトルに比して、コイルと底版の接着面積を増加させることができる。したがって、コイルやコアから放熱される熱の放熱領域を増加させることができ、通電時にコイルやコアから発生するジュール熱を効果的に底版へ伝熱させることができる。
【００２４】
また、リアクトルコアの断面形状が底版側に頂部を有する三角形を呈していれば、コアの周りに形成されたコイルの底版側の２つの面から、コイルやコアから放熱する熱を放熱できる。ここで、底版接着面は鉛直面に対して傾いた面で形成されることから、リアクトルの製造過程において、その接着面に容易かつ略均一に接着剤を塗布することができる。
【００２５】
なお、コイルが絶縁性と放熱性を有する接着剤を介してケースに接着されていれば、より効率的に底版側へ放熱できることから望ましい。
【発明の効果】
【００２６】
以上の説明から理解できるように、本発明のリアクトルによれば、その体格の大型化を抑制しながら、コイル接着面の接着面積を増加させることができ、したがって、放熱領域を増加させることで、放熱性能が格段に向上されたリアクトルとなる。さらに、傾きの異なる少なくとも２つの接着面でコイル接着面と底版接着面が構成されることにより、リアクトルが受ける振動時の応力を少なくとも２つの接着面に分散させることができ、従来の二次元的な接着面で接着されるリアクトルに比して振動による接着層の剥離を低減して、振動耐久性能に優れたリアクトルとなり得るものである。
【図面の簡単な説明】
【００２７】
【図１】本発明のリアクトルの一実施の形態の斜視図である。
【図２】（ａ）は図１で示すリアクトルの側面図、（ｂ）はその上面図、（ｃ）は（ａ）のＣ部拡大図である。
【図３】図２ｂで示すリアクトルのIII−III矢視図である。
【図４】図１で示すリアクトルの、リアクトルコアの長手部の形状を変更した実施の形態の斜視図である。
【図５】（ａ）は図４で示すリアクトルの側面図、（ｂ）はその上面図、（ｃ）は（ｂ）のＣ−Ｃ矢視図である。
【図６】図５ｂで示すリアクトルのVI−VI矢視図である。
【図７】図４で示すリアクトルの他の実施の形態を説明した図であって、リアクトルコアの断面形状が台形を呈する形態を示した縦断面図である。
【図８】図４で示すリアクトルのさらに他の実施の形態を説明した図であって、リアクトルコアの断面形状が逆三角形を呈する形態を示した縦断面図である。
【図９】図１で示すリアクトルに対して異なる形態のコイルを具備するリアクトルを示した図であって、（ａ）はその側面図、（ｂ）はその上面図、（ｃ）は（ｂ）のＣ−Ｃ矢視図である。
【図１０】図９で示すリアクトルの断面形状を変更した図であって、リアクトルコアの断面形状が逆三角形を呈する形態を示した縦断面図である。
【図１１】従来構造のリアクトルを示した斜視図である。
【図１２】本発明のリアクトルと従来構造のリアクトル双方の放熱性を比較した解析結果である。
【発明を実施するための形態】
【００２８】
以下、図面を参照して本発明の実施の形態を説明する。なお、図示例は、２つのＵ型コアからなるリアクトルコアを示しているが、２つのＵ型コアと２つのＩ型コアからなる形態、２つのＵ型コアと４以上のＩ型コアからなる形態などであってもよいことは勿論のことである。また、図示するリアクトルは、ハウジングに収容されないハウジングレスの形態であっても、ハウジング内に収容された形態であってもよく、これらいずれの形態においても、さらにその下方にヒートシンク板を有する形態、ヒートシンク板のさらに下方に冷媒還流器等を具備する形態、コイルが載置固定されるケース自身が冷媒還流器等を具備する形態など、その最終形態は適宜選定できるものである。
【００２９】
図１は、本発明のリアクトルの一実施の形態を示した斜視図であり、図２ａは図１で示すリアクトルの側面図、図２ｂはその上面図、図２ｃは図２ａのＣ部拡大図、図３は図２ｂのIII−III矢視図である。
【００３０】
このリアクトル１０は、所定の離間を置いて配設された２つの磁性を有するＵ型コア１ａ，１ｂと、これらの端部間に設けられた所定幅のギャップ層から全体が略環状（図示例は略矩形枠状）の磁束流路を形成するリアクトルコア１から構成されている。このリアクトルコア１は、その側面視においてリアクトルコア１の軸線がその下方に配置されたケースの底版６と反対側に突となる凸部３，３を備え、その凸部３，３のそれぞれは２つの傾斜部３ａ，３ｂから構成されている（図３参照）。そして、その対向する凸部の周りには絶縁素材からなるボビン４，４が形成され、それぞれのボビン４の周りにコイル５がリアクトルコア１の軸線に対し傾斜して形成される。また、底版６は凹溝７を備え、その凹溝７の底面７ｂには、コイル５の底版６と接着するコイル接着面と相補的な形状を呈する底版接着面７ａが形成され、この底版接着面７ａは傾きの異なる２つの接着面７ａａ，７ａｂから構成されている。そして、リアクトルコア1の凸部の一方の傾斜部の周りに形成された第１のコイル５ａと他方の傾斜部の周りに形成された第２のコイル５ｂの底版６側の接着面が、それぞれ底版接着面７ａの接着面７ａａ，７ａｂと接着剤８を介して接着されて、その全体が大略構成されている。なお、リアクトルコア１の短手領域の下部は、接着剤９ａ，９ｂを介して底版６の上面と接着固定されている。
【００３１】
ここで、この磁性コアは、珪素鋼板を積層してなる積層体から形成してもよく、軟磁性金属粉末または軟磁性金属粉末が樹脂バインダーで被覆された磁性粉末を加圧成形してなる圧粉磁心から形成してもよい。なお、この軟磁性金属粉末としては、鉄、鉄−シリコン系合金、鉄−窒素系合金、鉄−ニッケル系合金、鉄−炭素系合金、鉄−ホウ素系合金、鉄−コバルト系合金、鉄−リン系合金、鉄−ニッケル−コバルト系合金および鉄−アルミニウム−シリコン系合金などを用いることができ、軟磁性金属酸化物粉末である、マンガン系、ニッケル系、マグネシウム系などのフェライトを用いることもできる。
【００３２】
また、ギャップ層は、非磁性の接着剤のみから形成される形態、非磁性のギャップ板と接着剤とから形成される形態、非磁性の樹脂シートを両側のコアに熱圧着してなる形態などのうちのいずれの形態であってもよく、ギャップ板を使用する場合には、Ｍｇ，Ａｌ，Ｓｉ，Ｔｉ，Ｚｒ元素などの金属を主成分とするセラミックス、例えばアルミナ（Ａｌ２Ｏ３）やジルコニア（ＺｒＯ２）などのセラミックスからギャップ板を成形することができる。
【００３３】
また、ギャップ層に樹脂シートを使用する場合には、エポキシ樹脂、シリコーン樹脂、ポリイミド樹脂、ポリウレタン、不飽和ポリエステル、メラミン樹脂、フェノール樹脂、アルキド樹脂などの熱硬化性樹脂をからなるシートを使用することができる。
【００３４】
また、上記するボビン４としては、図示するように、対向する凸部にそれぞれ別個に設ける形態でも、対向する凸部に設けられる２つのボビンが一体成形される形態でもよい。
【００３５】
リアクトル１０の底版６については、既述するように、ボビン４，４やコイル５，５の下部を収容できる凹溝７を設け、凹溝７に設けられた底版接着面７ａでコイル５と底版６を接着する形態や、底版に凹溝を設けることなく底版の上面にコイルが形成されたリアクトルコアを載置して、底版上面でコイルと底版を接着する形態などを適用できる。なお、前者のほうが、コイルとともに発熱源であるコアから放熱される熱も底版から放熱できることから、リアクトルの体格の大型化を抑制し、コイルやコアから放熱される熱を効果的に底版へ伝熱できる。また、底版６の下面側には不図示の放熱板（ヒートシンク）や、その下方に冷却水やエアを還流させる冷却器が設けられ、あるいは、ケース自体が冷却水等の還流路を備えることで、コイルやコアから放熱される熱をリアクトルの外部へ放熱できるようになっている。
【００３６】
図２ａを参照して、コイルと底版の接着について説明する。図示するリアクトルコア１が傾斜部を備え、第１のコイル５ａと第２のコイル５ｂがリアクトルコア１の軸線Ａに対して傾斜して形成されることで、傾斜部の周りに巻き付けられる第１のコイル５ａと第２のコイル５ｂは、側面視で階段状の外形を有することとなる。そして、階段状の外形を有する第１のコイル５ａと第２のコイル５ｂの底版６側の接着面が、接着剤８を介して底版接着面７ａの接着面７ａａ，７ａｂと接着固定される。なお、図２ｂで示すように、リアクトルコアに巻き付けられるコイル５の上方の領域（底版６と反対側の領域）は、コアの軸線に対して略垂直な方向に巻き付けられている。
【００３７】
図２ｃの拡大図を参照して上記する接着層について詳述する。従来構造のようにリアクトルコアの長手部が直線状で、その長手部の周りにボビンが形成され、コアの軸線に略垂直となるようにボビンの周りにコイルを巻き付ける場合には、コイルの底版側の領域では底版に対向する面のみが露出することとなり、その露出面でコイルと底版が接着固定されることとなる。しかし、本発明のリアクトルにおいては、図示するように、少なくともコアの傾斜部に形成される第２のコイル５ｂが側面視で階段状の外形を有しており、第２のコイル５ｂの底版６と対向する第１の面５ｃのほか、巻き付けられたコイル同士の接触面（エッジワイズコイルの平面）の底版６に近接する第２の面５ｄも露出することとなる。したがって、コイル接着面が第１の面５ｃと第２の面５ｄから形成され、コイルと底版６の接着面積が増加することで、通電時にコイルで発生するジュール熱の底版６への伝熱効果が高められる。
【００３８】
また、コアの軸線に対して傾斜してコイルを形成する際に、従来構造のようにリアクトルコアの長手部が直線状であれば、コイルの長手方向の長さが増加してしまう。しかし、本発明のリアクトルにおいては、図２ａで示すように、リアクトルコアが傾斜部を有することで、傾斜部の周りのコイルが側面視で鉛直方向に巻き付けられることとなり、リアクトルの長手方向のコイル長さが抑制され、リアクトルの体格の大型化が抑制される。
【００３９】
また、コイル５と底版６の接着面積が増加することにより、放熱性能とともにコイル５と底版６の接着強度を向上させることもできる。
【００４０】
ここで、上記する接着層の接着剤は、剪断方向の応力に対して高い耐久性を有する一方で、引張方向の応力に対して耐久性が低いことが知られており、たとえば、従来構造のリアクトルのようにコイルと底版が二次元的な接着層で接着された場合、接着層の引張方向の振動が作用して接着層が剥離することが問題となってきた。そこで、図２で示す本発明のリアクトルにおいては、コイル５と底版６が２つの傾斜した接着面７ａａ，７ａｂで接着され、たとえば、一方の接着面７ａａに垂直な引張方向の振動が作用しても、他方の接着面７ａｂにおいてはその振動時に生じる応力を、接着面に垂直な引張応力と接着面に平行な剪断応力に分散させることができる。したがって、従来の二次元的な接着面による接着と比較して、多方向からの振動に対してコイル５と底版６の接着層の剥離を抑制することができる。
【００４１】
このように、三次元的な接着面で接着されることで、車両振動時におけるコイル５と底版６の接着を保証することができ、振動耐久性能の高い接着層を有するリアクトルを形成することができる。
【００４２】
また、底版６の接着面７ａａ，７ａｂは、凹溝７の底面７ｂに対して傾斜して形成されており、ケースの上方から接着剤を塗布するリアクトルの製造過程においても、容易かつ略均一に接着面７ａａ，７ａｂに接着剤８を塗布することができ、底版６とコイル５の密実な接着を保証することができる。
【００４３】
次いで、図３を参照してリアクトルコア１の作製方法について説明する。図示するリアクトルコア１は、２つのＵ型コア１ａ，１ｂにボビン４ａ，４ｂを一体成形し、予め凸形状に形成したコイル５の両側から２つのＵ型コア１ａ，１ｂの傾斜部３ａ，３ｂの端部を挿入し、Ｕ型コア１ａ，１ｂの端部同士を凸部３の頂部３ｃでギャップ層２を介して接着することで作製されるものである。
【００４４】
なお、上記する作製方法のほか、予め凸形状を呈するボビンの周りにコイルを巻き付けておき、一方のＵ型コアの傾斜部の端部をボビンの一方側に挿入して嵌め合わせ、他方のＵ型コアの傾斜部の端部をボビンの他方側から挿入して嵌め合わせて、２つのＵ型コアの端部同士を凸部の頂部でギャップ層を介して接着することで、リアクトルコアを作製することもできる。
【００４５】
また、図３で示すリアクトル１０は、リアクトルコア１の傾斜部３ａ，３ｂが、凸部３の頂部３ｃを通る鉛直面に対して対称となるように形成されており、リアクトル１０全体がその鉛直面に対して対称な形状を呈している。そこで、リアクトルコア１の周りにコイル５を形成する際には、まず、コイル５を軸線Ａに所望の角度で傾斜させながら、傾斜部３ａ周りにコイル５を巻き付けて第１のコイル５ａを形成し、その後、凸部３の頂部３ｃで鉛直面に対して対称となるようにその傾斜角を変更して、傾斜部３ｂ周りにコイル５を巻き付けて第２のコイル５ｂを形成することで、容易にボビン４の周りのコイル５を形成することができる。
【００４６】
なお、コアの傾斜部３ａ，３ｂは、リアクトルの周囲の部品との配置やリアクトルの放熱性能に応じて、その傾斜角をそれぞれ別個に変更することもできる。
【００４７】
次に、図４および図５を参照して、本発明のリアクトルの他の実施の形態を説明する。図４および図５で示すリアクトルは、図１で示すリアクトルのリアクトルコアの凸部を複数備えたリアクトルであって、図４はその斜視図であり、図５ａは図４で示すリアクトルの側面図、図５ｂはその上面図、図５ｃは図５ｂのＣ−Ｃ矢視図である。なお、図１で示すリアクトルと同様の構成に関してはその説明を省略する。
【００４８】
図４で示すリアクトル２０のリアクトルコア１１は、その対向する長手部のそれぞれについて、その軸線が下方に配置されたケースの底版１６と反対側に突となる２つの凸部１３Ａ，１３Ｂを備え、それぞれの凸部１３Ａ，１３Ｂが２つの傾斜部から構成されることで、コア１１の長手部は４つの傾斜部１３Ａａ，１３Ａｂ，１３Ｂａ，１３Ｂｂを備えることとなる（図５ｃ参照）。その４つの傾斜部の周りにボビン１４，１４が形成され、それぞれのボビン１４，１４の周りにコイル１５，１５が形成されており、２つの凸部間に形成される谷部がコイル１５，１５の中央となるように設計されている。そして、コイル１５，１５の底版１６側の接着面が、接着剤１８を介してコイル接着面と相補的な形状を呈する４つの接着面１７Ａａ，１７Ａｂ，１７Ｂａ，１７Ｂｂからなる底版接着面１７ａと接着固定されている。なお、リアクトルコア１１の短手領域の下部は、接着剤１９ａ，１９ｂを介して底版１６の上面と接着固定されている。
【００４９】
このリアクトル２０は、図１で示すリアクトルと同様、リアクトルコア１１が傾斜部を備え、コイル１５がその傾斜部の周りにコア１１の軸線に対して傾斜して形成されることで、コイル１５と底版１６の接着面積を増加させることができる。したがって、コイル１５と底版１６の接着強度を向上させながら、コイル１５から放熱される熱の放熱領域を増加させ、通電時にコイル１５やリアクトルコア１１から放熱される熱を底版１６側へ効率的に伝熱させることができる。また、コイル１５においては、一般にその中央部に熱が最も篭もりやすく、中央部が高温となってリアクトルの破損に繋がる可能性がある。そこで、図示するリアクトル２０は、そのコイル中央部に凸部間の谷部が形成され、中央部のコイルが相対的に底版１６側に近接して配置されることで、この中央部に溜まった熱を効率的に底版１６へ伝熱できるようになっている。また、図１で示すリアクトルと比較してコイル中央部の高さが低くなり、リアクトル全体の厚みを低減できることから、リアクトルの体格の小型化を図ることもできる。
【００５０】
また、上記する底版接着面１７ａの４つの接着面のうち、接着面１７Ａａ，１７Ｂａと接着面１７Ａｂ，１７Ｂｂが異なる傾きを有していることにより、たとえば、接着面１７Ａａ，１７Ｂａに略垂直な方向の振動が作用する場合においても、接着面１７Ａｂ，１７Ｂｂにおいては、振動時に生じる応力を接着面１７Ａｂ，１７Ｂｂに垂直な引張方向の応力と接着面１７Ａｂ，１７Ｂｂに平行な剪断方向の応力に分散させることができ、接着層の振動耐久性能を一層向上させることができる。
【００５１】
なお、上記するコイル中央部の高さやリアクトルコアの凸部の基数、それぞれの接着面の傾きは、リアクトルの周囲の部品の配置や所望の放熱性能に応じて変更できる。その際、コイルから放熱される熱を底版側へ効率的に伝熱するために、同図のように、最も高温となり得るコイルの中央に谷部が形成されるのが好ましい。
【００５２】
次いで、図５ａを参照して、底版１６の凹溝１７に設けられる底版接着面１７ａについて説明する。同図において、底版１６の凹溝１７に設けられた底版接着面１７ａの高さは、凹溝１７の底面１７ｂの高さと上面１７ｃの高さ（底版１６の上面の高さに相当する）の範囲内に設定されている。すなわち、凹溝１７に備えられた４つの接着面１７Ａａ，１７Ａｂ，１７Ｂａ，１７Ｂｂはすべて凹溝１７内に形成されており、接着面１７Ａｂと接着面１７Ｂａの接続部１７ｄの高さＤ１が凹溝１７の底面１７ｂより高く、底版接着面１７ａの高さＤ２が上面１７ｃの高さより低く設計されている。なお、図５ｂで示すように、リアクトルコアに巻き付けられるコイル１５の上方の領域（底版１６と反対側の領域）は、コアの軸線に対して略垂直な方向に巻き付けられている。
【００５３】
図５ｃを参照して、上記するリアクトルコア１１の作製方法について説明する。リアクトルコア１１のＵ型コア１１ａ，１１ｂは、その凸部１３Ａの頂部１３Ａｃでギャップ層１２を介して接着されるものである。すなわち、リアクトル２０のリアクトルコア１１は、２つのＵ型コア１１ａ，１１ｂにボビン１４ａ，１４ｂを一体成形し、予め２つの凸形状を備えるように形成したコイル１５の両側から２つのＵ型コア１１ａ，１１ｂの傾斜部１３Ａａ，１３Ａｂの端部を挿入し、Ｕ型コア１１ａ，１１ｂの端部同士を頂部１３Ａｃでギャップ層２を介して接着することで作製されるものである。なお、リアクトルコアの長手部が凸部を３以上有する場合は、それぞれのＵ型コアがその凸部のうち最も外側に配された凸部の頂部でギャップ層を介して接着されるのが好ましい。
【００５４】
図６は、上記するリアクトル２０の縦断面図であって、図５ｂのVI−VI矢視図である。同図において、リアクトルコア１１は略正方形の形状を呈しており、その周りにコイル１５が略正方形の外形を有するように形成されている。ここで、コイル１５と底版１６が接着剤１８を介して接着されることで、発熱源であるリアクトルコア１１やコイル１５から放熱される熱は、コイル１５の底版１６と接着されるコイル接着面から底版１６側へ伝熱されることとなる。
【００５５】
図７および図８は、図６で示すリアクトルコアの断面形状を変更したリアクトルの縦断面図を示しており、図７は断面形状が台形を呈するリアクトルの縦断面図、図８は断面形状が逆三角形を呈するリアクトルの縦断面図である。
【００５６】
図７で示すリアクトル３０はリアクトルコア２１の断面形状が台形であって、その長辺が底版２６側に配設され、リアクトルコア２１の周りにボビン２４とコイル２５が形成されて、コイル２５と底版２６が接着剤２８を介して接着されている。リアクトルコア２１の長辺が底版２６側に配設されることにより、たとえば、リアクトルコア２１の断面積が図６で示すリアクトルコアの断面積と同等である場合には、コイル２５と底版２６の接着面積を増加させることができる。よって、コイル２５から放熱される熱の放熱領域を増加させることができ、リアクトルコア２１やコイル２５から放熱される熱を効果的に底版２６側へ伝熱させることができる。
【００５７】
また、図８で示すリアクトル４０はリアクトルコア３１の断面形状が三角形であって、その頂部が底版３６側に配設され、リアクトルコア３１の周りにボビン３４とコイル３５が形成されて、コイル３５と底版３６が接着剤３８を介して接着されている。ここで、底版３６の凹溝３７がリアクトルコア３１の周りに形成されるコイル３５の外形と相補的な形状を呈していれば、コイル３５の２つの接着面３５ａ，３５ｂと凹溝３７の２つの接着面３７a，３７ｂがそれぞれ接着されることとなり、さらに接着面積を増加させることができる。したがって、コイル３５と底版３６の接着強度を向上させながら、リアクトルコア３１やコイル３５から放熱される熱をより効果的に底版３６へ伝熱させることができる。また、リアクトルの短手方向（矢印Ｙ方向）に車両振動が作用する際においても、２つの接着面３７a，３７ｂによってコア３１やコイル３５の振動が抑制され、多方向からの振動に対して高い振動耐久性を有するリアクトルを形成することができる。なお、凹溝３７の接着面３７a，３７ｂは鉛直面に対して傾斜した面から形成されることから、ケースの上方から接着剤を塗布するリアクトルの製造工程においても、その接着面に容易かつ略均一に接着剤を塗布することができる。
【００５８】
次に、図９を参照して、本発明のリアクトルのさらに他の実施の形態を説明する。図９ａはリアクトルの側面図、図９ｂはその上面図、図９ｃは図９ｂのＣ−Ｃ矢視図である。なお、図９で示すリアクトル５０は、図１で示すリアクトルのコア形状を適用しているが、これ以外にも図４で示すリアクトルやさらに多数の凸部を備えるリアクトルコア形状等を適用できる。
【００５９】
図９ａで示すリアクトル５０においては、その側面視でコイル４５がリアクトルコア４１の軸線に対して傾斜して形成されており、ボビン４４の周りの一部にはコイル４５が巻き付けられていない領域が存在する。また、コイル４５の側方には底版４６から立設する側版４６ａが備えられており、後述するように、コイル４５はケースの底版４６のほかに、この側版４６ａとも接着剤を介して接着されている。なお、底版４６と側版４６aは、その接触面で接着される形態でも、底版４６と側版４６ａが一体成形される形態でもよい。
【００６０】
図９ｂを参照して、リアクトルコア４１の周りに形成されるコイル４５の形状について説明する。同図において、底版４６と反対側の領域に形成されたコイル４５は、それぞれ２つの屈曲部４５ｃを介してリアクトルコア４１の軸線に対して３つの方向に傾斜して形成されている。ここで、コイル４５がリアクトルコア４１の軸線に対して傾斜していることで、コイル４５の側方の領域は階段状の外形を有することとなる。したがって、図２ｃを参照してコイルと底版の接着層について説明したのと同様に、コイル４５の側方の領域でも、コイル同士の接触面（エッジワイズコイルの平面）の側版４６ａに近接する面が露出することとなり、コイル４５と側版４６ａの接着面積を増加させることができる。また、同図のようにコイル４５が屈曲部を備え、コイル４５が傾斜した３つの直線部４５ｄから構成されることで、リアクトルコアの長手方向においてコイルの巻き方向を変更することができ、形成されるコイルの長手方向長さを抑制することができる。
【００６１】
また、上記する形態によれば、図９ｃで示すように、コイル４５の底版４６側の領域とコイル４５の側方の領域の双方の接着面でコイル４５とケースを接着固定させることができ、接着強度を向上させることができる。したがって、リアクトルの体格の大型化を抑制しながら、優れた放熱性能と高い接着強度を保証することができる。また、側版４６ａによってリアクトル５０の短手方向の振動が抑制されることから、振動耐久性能を一層向上させることもできる。
【００６２】
図１０は、図９で示すリアクトルコアの断面形状を変更したリアクトルの縦断面図であって、その断面形状が逆三角形を呈するリアクトルの縦断面図を示している。なお、図１０で示すリアクトル６０のコア５１周りのコイル５５において、底版５６側と底版５６の反対側の領域は図９ｂで示すコイルと同様の形状を呈している。
【００６３】
図示するリアクトル６０は、リアクトルコア５１の断面形状が底版５６側に頂部を有する三角形を呈しており、コイル５５側方の２つのコイル接着面と底版５６の凹溝５７に設けられた２つの接着面５７a，５７ｂがそれぞれ接着されることで、図９で示す側版が不要となる。また、既述するように、リアクトルコア５１の断面形状が三角形を呈することで、コイル５５から底版５６への伝熱性能やコイル５５と底版５６の接着強度、接着層の振動耐久性能を格段に向上させることができる。
【００６４】
[本発明のリアクトルと従来構造のリアクトル双方の放熱性を比較した解析と、その結果]
本発明者等は、従来構造のリアクトルに比して、本発明のリアクトルの放熱性能が向上することを実証するべく、コンピュータ内でリアクトルモデルを作成し、伝熱解析を実施してコイルモデル付近で生じ得る温度を特定した。作成したモデルは５種あり、そのうちの４種は本発明のリアクトルをモデル化したものであって、図１，４，７，８で示すリアクトル構造を有するものである（それぞれ実施例１〜４）。また、他の１種は、従来構造のリアクトルをモデル化したものであって、実施例１からその凸部を排除した構造を呈するものである（比較例）（図１１参照）。
【００６５】
上記する実施例と比較例において使用するエッジワイズコイルの幅は10mmであり、実施例については、コイル同士の接触面（エッジワイズコイルの平面）のうち、その側面視で約1mmの長さを有する露出面が形成されるように、リアクトルコアの軸線に対して傾斜してエッジワイズコイルが巻き付けられている。また、実施例３の台形断面を呈するコアと実施例４の三角形断面を呈するコアの断面積は、実施例１，２の正方形断面を呈するコアの断面積と同等となるようにモデル化されている。そして、エッジワイズコイルとケースの接着剤として1W/mKおよび3W/mKの２種の熱伝導率を有する放熱性接着剤を使用した場合の放熱性能を解析した。
【００６６】
解析結果を図１２に示している。なお、同図の縦軸の放熱性は、上記解析において比較例のコイル直上の温度を基準として１とし、実施例１〜４のコイル直上の温度を比較例の結果に対する比率で示したものである。
【００６７】
本解析の結果、3W/mKの熱伝導率を有する放熱性接着剤を使用した場合には、比較例に対して実施例１のコイルの温度を6％低減できること、すなわち、放熱性能を6％向上できることが実証された。また、リアクトルコアが２つの凸部を備え、凸部間の谷部がコイル中央に設けられた実施例２の放熱性能は、比較例に対して11％向上することが実証された。また、実施例２に対してコア断面形状を台形とした実施例３の放熱性能は34％向上し、コア断面形状を逆三角形とした実施例４においては、放熱性能が38％向上することが実証された。
【００６８】
また、1W/mKの熱伝導率を有する放熱性接着剤を使用した場合には、上記する3W/mKの熱伝導率を有する放熱性接着剤を使用した場合と比較して、さらに比較例に対する放熱性能の向上を実現できることが実証された。すなわち、比較例に対して実施例１〜４の放熱性能は、それぞれ12％，17％，43％，48％向上し、熱伝導率の低い放熱性接着剤を使用した場合には、同じ形態を有する実施例に対して、さらにリアクトルのクーリング性能を向上できることが実証された。
【００６９】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【符号の説明】
【００７０】
１…リアクトルコア（磁性コア）、１ａ，１ｂ…Ｕ型コア、２…ギャップ層、３…凸部、３ａ，３ｂ…傾斜部、４…ボビン、５…コイル、５ａ…第１のコイル、５ｂ…第２のコイル、６…底版、７…底版の凹溝、７ａ…底版接着面、７ｂ…凹溝の底面、８，９ａ，９ｂ…接着剤、１０…リアクトル、Ａ…リアクトルコアの軸線
【図１】
2012023267.tif 000003
【図２】
2012023267.tif 000004
【図３】
2012023267.tif 000005
【図４】
2012023267.tif 000006
【図５】
2012023267.tif 000007
【図６】
2012023267.tif 000008
【図７】
2012023267.tif 000009
【図８】
2012023267.tif 000010
【図９】
2012023267.tif 000011
【図１０】
2012023267.tif 000012
【図１１】
2012023267.tif 000013
【図１２】
2012023267.tif 000014